(57)【要約】【課題】  どのような猫であっても、興味を持って爪とぎ行為を行うことができる猫用爪とぎ器を提供する。【解決手段】  基部と、前記基部に立設される爪とぎ具と、前記爪とぎ具の上方又は上方側に設置され、収容される嗜好物が外側へ飛び出し可能となるよう開口部を有する収容部とを備えることを特徴とする猫用爪とぎ器であって、前記収容部は、容器本体と、前記容器本体に着脱可能なカバー体とを備えてなり、前記開口部は前記容器本体と前記カバー体の少なくともいずれか一方に形成され、前記容器本体又は前記カバー体のいずれか一方が連結手段を介して前記爪とぎ具に設置され、前記収容部は、前記爪とぎ具の中心軸線上に設置される猫用爪とぎ器。【選択図】  図１
2017035047.tif 000002
【特許請求の範囲】
【請求項１】
基部と、
前記基部に立設される爪とぎ具と、
前記爪とぎ具の上方又は上方側に設置され、収容される嗜好物が外側へ飛び出し可能となるよう開口部を有する収容部と、
を備えることを特徴とする猫用爪とぎ器。
【請求項２】
前記収容部は、容器本体と、前記容器本体に着脱可能なカバー体とを備えてなり、前記開口部は前記容器本体と前記カバー体の少なくともいずれか一方に形成され、前記容器本体又は前記カバー体のいずれか一方が連結手段を介して前記爪とぎ具に設置される請求項１に記載の猫用爪とぎ器。
【請求項３】
前記収容部は、前記爪とぎ具の中心軸線上に設置される請求項１又は請求項２に記載の猫用爪とぎ器。
【発明の詳細な説明】
【技術分野】
【０００１】
本発明は、床面に設置される猫用爪とぎ器に関するものである。
【背景技術】
【０００２】
従来より、大きめの猫が立ち上がった状態でも爪をとぐことができるように縦型の猫用爪とぎ器が公知である。例えば、柱状をなし、表面部分が、爪が喰い込む程度の硬さとなっている爪とぎ具を、板状をなした基部から上方に向かって植設した猫用爪とぎ器が公知である（特許文献１参照）。
【先行技術文献】
【特許文献】
【０００３】
【特許文献１】実用新案登録第３１２８９４１号公報
【発明の概要】
【発明が解決しようとする課題】
【０００４】
しかしながら、特許文献１の構造では、猫が爪とぎ行為に関心があれば、特に問題とされることはないが、飼い主の意図に反して、爪とぎ行為に全く興味を示さない猫の場合には設置するためのスペースが無駄となるうえ、別途爪とぎ器を設置しなければならず、飼い主は、猫に合う爪とぎ器の選定に困難性を要するものであった。
【０００５】
そこで、本発明はこのような問題点を解決するものであって、どのような猫であっても、興味を持って爪とぎ行為を行うことができる猫用爪とぎ器を提供することを課題とする。
【課題を解決するための手段】
【０００６】
前記問題点を解決するために、本発明の請求項１に記載の猫用爪とぎ器は、基部と、前記基部に立設される爪とぎ具と、前記爪とぎ具の上方又は上方側に設置され、収容される嗜好物が外側へ飛び出し可能となるよう開口部を有する収容部とを備えることを特徴とするものである。
【０００７】
また、本発明の請求項２に記載の猫用爪とぎ器は、請求項１に記載の猫用爪とぎ器において、前記収容部は、容器本体と、前記容器本体に着脱可能なカバー体とを備えてなり、前記開口部は前記容器本体と前記カバー体の少なくともいずれか一方に形成され、前記容器本体又は前記カバー体のいずれか一方が連結手段を介して前記爪とぎ具に設置されるものである。
【０００８】
また、本発明の請求項３に記載の猫用爪とぎ器は、請求項１又は請求項２に記載の猫用爪とぎ器において、前記収容部は、前記爪とぎ具の中心軸線上に設置されるものである。
【発明の効果】
【０００９】
本発明の猫用爪とぎ器では、爪とぎ具の上方又は上方側に設置され、収容される嗜好物が外側へ飛び出し可能となるよう開口部を有する収容部を設けるので、猫の爪とぎ行為によって爪とぎ具が傾斜することで、猫用爪とぎ器が揺動し、収容部の嗜好物を落下させることができる。これにより、どのような猫であっても、興味を持って爪とぎ行為を行うことができる。
【図面の簡単な説明】
【００１０】
【図１】本発明の実施例における猫用爪とぎ器の分解斜視図である。
【図２】本発明の実施例における猫用爪とぎ器が揺動した状態説明図である。
【図３】本発明の実施例における猫用爪とぎ器の別仕様の収容部の一部省略拡大図である。
【図４】本発明の実施例における猫用爪とぎ器のさらに別仕様の収容部の一部省略拡大図である。
【図５】本発明の実施例における猫用爪とぎ器のさらに別仕様の収容部の一部省略拡大図である。
【発明を実施するための形態】
【００１１】
以下、本発明の実施の形態における猫用爪とぎ器を図面に基づいて説明する。当該猫用爪とぎ器は、床面に設置されるものであって、床面側を猫用爪とぎ器の下方とし、天井側を上方とする。
【実施例】
【００１２】
本発明の実施例に係る猫用爪とぎ器は、図１及び図２に示すように、主に、床面に設置される基部１０と、猫の爪をとぐ爪とぎ具２０と、爪とぎ具２０の上方に設置され、収容される嗜好物が外側へ飛び出し可能となるよう開口部３５を有する収容部３０とを備えて構成される。本実施例において、嗜好物は、固形状の嗜好用餌Ｆとされるが、これに限られることなく、玩具等であってもよいのは勿論である。
【００１３】
基部１０は、爪とぎ具２０を床面に立設させるために設けられる。当該基部１０は、例えば、金属板、合成樹脂板等からなり、略平板状の板状体から形成されており、略中央部にボルト等の連結部材Ｂを挿通させるための貫通孔１１が設けられる。特に、基部１０を金属板とすることで、猫が寝ころぶ等して涼を取ることができるし、清掃等の観点からも望ましいものである。また、基部１０の底面部に滑り止めのための滑り止め部（図示しない）を設けることもできる。
【００１４】
また、基部１０の外形は、猫の爪とぎ行為によって揺動し易いよう、又は猫が怪我をしないように円形状とすることが望ましいが、猫用爪とぎ器の設置の安定性、意匠性の観点から適宜の形状とすることができる。例えば、三角形状、四角形状、多角形状、楕円形状等とすることができるのは勿論である。基部１０は、少なくとも爪とぎ具２０の外形より大きく外形を有していればよく、例えば、直径が１５ｃｍから８０ｃｍ程度とされ、本実施例においては直径４０ｃｍ程度とされる。
【００１５】
爪とぎ具２０は、猫が自重をかけてぶら下がるようにして爪をといだり、寝ころんだりしながら爪をとぐことができるように長尺状に構成され、例えば、円柱状、角柱状等に形成される。また、爪とぎ具２０の上下両端部には、基部１０、収容部３０を設置するための取付孔２１が長手方向に沿って設けられており、爪とぎ具２０は、連結部材Ｂを介して基部１０に立設するよう取り付けられる。
【００１６】
また、当該爪とぎ具２０の表面部は、円柱状、角柱状等のベース部（図示しない）に、例えば、麻、布地、布製ロープ等を巻回して構成される。爪とぎ具２０は、その他、段ボール、木製等から構成されるものであってもよく、表面部が猫の爪をとぐために適したものであれば、特に制限されるものではない。本実施例においては、爪とぎ具２０は、円柱状のベース部に麻が長手方向に沿って巻回されることで構成され、例えば、直径が６ｃｍから１５ｃｍ程度とされ、本実施例においては直径７ｃｍ程度とされる。また、長手寸法は、例えば、２０ｃｍから１００ｃｍ程度とされ、本実施においては８０ｃｍ程度とされる。
【００１７】
収容部３０は、爪とぎ器２０の上方に設置され、嗜好物とされる嗜好用餌Ｆを収容するものであり、猫の爪とぎ行為によって、爪とぎ具２０が傾斜状態となって基部１０を介して揺動することで、収容部３０の開口部３５から嗜好用餌Ｆを落下させることができるものである。すなわち、猫が爪とぎ行為を行うことで嗜好用餌Ｆが落下し、これを食することができる構成としている。
【００１８】
収容部３０は、嗜好用餌Ｆを収容する容器本体３１と、容器本体３１に着脱可能なカバー体３４とから構成される。当該容器本体３１は、爪とぎ具２０の外形より僅かに小さい外形を有し、嗜好用餌Ｆを収容し得る収容スペースを有してなり、例えば、略平板状の円形状に形成される。これにより、猫の爪とぎ行為によって、猫用爪とぎ器が倒れてしまうことがあっても、収容部３０の破損を防止することができる。
【００１９】
また、容器本体３１における外周縁部の近傍には、カバー体３４を取り付けるための第１係止片３２が上方へ向けて立設される。また、容器本体３１の略中央部には、ボルト等の連結手段４０を挿通させるための貫通孔３３が設けられる。
【００２０】
また、カバー体３４は、容器本体３１における嗜好用餌Ｆの収容スペースを覆設するよう構成されており、容器本体３１と同様にして爪とぎ具２０の外形より僅かに小さい外形を有して、例えば、略半球状に形成される。また、カバー体３４には、容器本体３１に収容される嗜好用餌Ｆが当該容器本体３１の外側へ飛び出し可能となるよう開口部３５が形成される。当該開口部３５は、猫の爪とぎ行為によって嗜好用餌Ｆが容易に転がり出るよう、カバー体３４の下方端部から上方に向けて切欠状に形成される。また、開口部３５が形成されない所定箇所におけるカバー体３４の内側面には、第１係止片３２に対応する第２係止片３６が設けられる。
【００２１】
このようにして構成される猫用爪とぎ器は、基部１０に立設するようにして取り付けられる爪とぎ具２０の上方に収容部３０が設置される。具体的には、爪とぎ具２０の上端部に容器本体３１を載置した状態で、ボルト等の連結手段４０を介して両者を固着させる。そして、第１係止片３２に第２係止片３６を対応させた状態でカバー体３４を配設し、カバー体３４を所定角度を回動させることで、第２係止片３６を第１係止片３２に係止し、カバー体３４にて容器本体３１の収容スペースを覆設した状態としている。これにより、収容部３０は、当該収容スペースに対して上方から埃、ゴミ等が侵入しない構成とすることができ衛生的であるとともに、収容部３０は爪とぎ具２０の中心軸線上に設置され、猫が収容部３０を直接触ることができないものとし、爪とぎ行為に興味を持ちやすい態様としている。また、収容部３０に嗜好用餌Ｆを収容する際には、容器本体３１とカバー体３４との係止状態を解除して、容器本体３１内に嗜好用餌Ｆを収容することができる。
【００２２】
そして、猫の爪とぎ行為によって、爪とぎ具２０が一方へ傾斜状態となることで、その反動により猫爪とぎ器が振子のように揺動し、収容部３０内に収容される嗜好用餌Ｆが開口部３５から落下して、猫が爪とぎ行為後に嗜好用餌Ｆを食することができる。すなわち、爪とぎ行為を行うことによって、ご褒美が貰えることとなり、猫の爪とぎ行為に対する好奇心を向上させることができる。そして、これが習慣化されることで、壁、柱、ソファ等の飼い主が気にするような他の場所での爪とぎ行為を低減させることができる。
【００２３】
以上、説明した本発明に係る猫用爪とぎ器によれば、爪とぎ具２０の上方に設置され、収容される嗜好物が外側へ飛び出し可能となるよう開口部３５を有する収容部３０を設けるので、猫の爪とぎ行為によって爪とぎ具２０が傾斜することで、猫用爪とぎ器が揺動し、収容部３０内の嗜好物を開口部３５から落下させることができる。これにより、どのような猫であっても、興味を持って爪とぎ行為を行うことができる。
【００２４】
上述した実施例において、基部１０、爪とぎ具２０、収容部３０、連結手段４０の形状、寸法、材質等を適宜変更して実施することが可能である。例えば、爪とぎ具２０においては、複数個を上下方向に連結して使用することもできる。
【００２５】
また、収容部３０における容器本体３１とカバー体３４とは、所定角度を回動させることで両者を係止状態とするものであるが、容器本体３１に対してカバー体３４が着脱可能であれば、螺合態様、嵌め込み態様等、適宜変更して実施することができるのは勿論である。
【００２６】
また、容器本体３１においては、爪とぎ具２０の上端部に載置されるものであったが、これに限られるものではない。例えば、ボルト等の連結手段４０を長尺状とし、爪とぎ具２０と容器本体３１とを離間させた状態とすることもできるし、容器本体３１の形状においても、例えば略半球状に形成することもできるし、これに限られない。このとき、容器本体３１においても、開口部３５を形成することができる。すなわち、容器本体３１とカバー体３４の少なくともいずれか一方に開口部３５が形成されていればよい趣旨である。
【００２７】
また、カバー体３４の開口部３５においては、カバー体３４の下方端部から上方に向けて切欠状に形成されるものであったが、これに限られるものではない。例えば、図３に示すように、開口部３５は、カバー体３４の下方端部に縁部３７を設けた貫通孔とすることもできる。
【００２８】
すなわち、開口部３５が切欠状に形成される態様では、猫が爪とぎ行為を十分に行わなくても、嗜好用餌Ｆが容易に転がり出て、それを食することが可能となってしまう虞があるが、開口部３５を貫通孔状に形成される態様とすることで、爪とぎ行為を十分に行わなければ、嗜好用餌Ｆが外側へ飛び出ることがなく、爪とぎ行為への好奇心を向上させることができる。また、貫通孔状における開口部３５の縁部３７を切断することで、切欠状における開口部３５の態様とすることもできるし、これらを適宜組み合わせて使用することもできる。これにより、猫の性格に合わせて、開口部３５の領域を調整することができる。
【００２９】
さらに、収容部３０においては、カバー体３４を有しない態様とすることもできる。具体的には、嗜好用餌Ｆを収容する収容スペースを有する容器本体３１を連結手段４０を介して爪とぎ具２０に設置する態様とすることもできる。当該容器本体３１は、例えば略半球状に形成され、ボルト等の連結手段４０を介して、爪とぎ具２０に当接又は離間するようにして爪とぎ具２０の上方に設置される。このとき、開口部３５は、容器本体３１の適宜箇所に形成することもできるし、略半球状における上方側の開放部分を開口部３５とすることもできるのは勿論である。
【００３０】
また、連結手段４０においては、爪とぎ具２０と容器本体３１とを連結するものであったが、これに限られるものではない。例えば、図４に示すようにして、略平板状の板状体をボルトＢを介して爪とぎ具２０に取り付け、当該板状体から上方へ延びた後に下方へ湾曲され、収容部３０を吊り下げるための略逆Ｊ字状の支持部を連結手段４０とすることもできる。
【００３１】
すなわち、収容部３０のカバー体３４の天面に形成される取付孔３８に支持部の先端部を掛止することで、爪とぎ具２０に設置される態様とすることもできる。このとき、収容部３０は、爪とぎ具２０に対して当接するよう支持することもできるし、離間するよう支持することもできる。このような収容部３０は、猫用爪とぎ器の全体的な揺動と相違するようにして揺動するため、爪とぎ行為を十分に行わなければ、嗜好用餌Ｆが外側へ飛び出ることがなく、爪とぎ行為への好奇心を向上させることができる。また、収容部３０を爪とぎ具２０における外形の外側方向へ配置させることもできるし、爪とぎ具２０の上端部から下方側の所定位置（爪とぎ具２０の上方側）へ配置させることもできるのは勿論である。
【００３２】
また、収容部３０のカバー体３４に取付孔３８を形成することで、収容部３０において、容器本体３１に対してカバー体３４を着脱することなく、嗜好用餌Ｆを内部に収容させることもできる。
【００３３】
さらに、連結手段４０においては、例えば、図５に示すように、爪とぎ具２０を挿通し得るようにし、内部に収容スペースを有して略ドーナツ状に形成される収容部３０を連結手段４０を介して爪とぎ具２０の上方側に設置することもできる。具体的には、爪とぎ具２０の上端部に対して掛止可能となるよう、爪とぎ具２０の中心側に向けて折曲される略逆Ｌ字状の支持部を連結手段４０とし、当該支持部を容器本体３１又はカバー体３４に取り付ける態様とすることもできる。また、開口部３５は、同様にして容器本体３１とカバー体３４の少なくともいずれか一方に形成される。これにより、収容部３０を爪とぎ具２０の上端部から下方側の所定位置に設置することができる。また、支持部を容器本体３１に形成し、カバー体３４を有しない態様とすることもできるのは勿論である。このとき、容器本体３１を略半球状とし、上方側の開放部分を開口部３５とすることもできる。
【００３４】
また、上述した実施例において、一部構成を省略することができるし、一部抽出した構成とすることができるのは勿論である。
【符号の説明】
【００３５】
１０    基部
２０    爪とぎ具
３０    収容部
３１    容器本体
３４    カバー体
３５    開口部
４０    連結手段
【図１】
2017035047.tif 000003
【図２】
2017035047.tif 000004
【図３】
2017035047.tif 000005
【図４】
2017035047.tif 000006
【図５】
2017035047.tif 000007